(57)【要約】【課題】店舗の広告情報を目の前の通行人にだけに伝える狭域電子広告システムを実現する場合、従来の方法では基地局やサーバなどのインフラを追加する必要がある。【解決手段】広告主が持つ移動端末と通行人が持つ移動端末間でピアツーピア通信を行い、電波到達範囲に入った移動端末は広告情報を自動で受け取り、電波到達範囲から抜けたときには広告情報は自動で消えるという、ワイヤレス技術を使った狭域電子広告システムで上記課題を解決する。【選択図】図１
2012220934.tif 000002
【特許請求の範囲】
【請求項１】
広告主が持つ移動端末と通行人が持つ移動端末間でピアツーピア通信を行い広告情報を転送するシステムであって、
電波到達範囲にある移動端末を検索する機能、
電波到達範囲に入った通行人が持つ移動端末は広告情報を自動で受け取り、電波到達範囲から抜けたときには広告情報は自動で消える機能、
広告主が手元の移動端末で広告情報を作成および変更する機能、
前記機能を有することを特徴とするピアツーピアネットワークを使った電子広告システム。
【請求項２】
ピアツーピア通信をする為の無線の暗号化アルゴリズムとキー値の決定化方法。
【請求項３】
前記広告情報は、静止画、動画、文字情報の内１つ以上を含む情報であることを特徴とする請求項１の電子広告システム。
【請求項４】
広告主と通行人の移動端末が電波到達範囲にあることを判定する手段は、移動端末が周期的に自端末情報を発信し相手端末がそれを受信することで電波到達範囲にある移動端末を検索することを特徴とする請求項１に記載の相手端末検索方法。
【発明の詳細な説明】
【技術分野】
【０００１】
本発明はワイヤレス技術を利用して必要領域に紐付ける電子広告システムに関する。
【背景技術】
【０００２】
従来、ディスプレイに広告を表示させる電子広告システムとして、特許４１６５３４３号、特許４１２２７０７号、特許４１９２６０３号、特許４４４５７８４号などがある。
【０００３】
これらは、情報配信サーバに電子広告情報を置き、そこから情報をダウンロードしてディスプレイに表示させるものである。
【０００４】
また、移動端末に広告を表示させる方法もあり、ユーザの興味を引く広告情報を送信する方法として、特願２００２−２２５００７がある。
【０００５】
これらは各店舗の広告情報を有償の広告配信サーバに置きインターネットを介してその広告情報が情報機器・端末に配信されるものである。
【先行技術文献】
【特許文献】
【０００６】
【特許文献１】特許４１６５３４３号
【特許文献２】特許４１２２７０７号
【特許文献３】特許４１９２６０３号
【特許文献４】特許４４４５７８４号
【特許文献５】特許４３１４９０７号
【特許文献６】特願２００２−２２５００７
【発明の概要】
【発明が解決しようとする課題】
【０００７】
現行の電子広告システムは、有償の大規模なインフラが必要とされており、その設置場所や運用も複雑化されて来ている。  また、その広告の目的範囲がワールドワイドとなる為にリアルタイムに必要且つ有用な情報とする場面では大袈裟な広告システムとなる。
【０００８】
本発明は、広告配信サーバやインフラを不要としていて、広告主の店舗側の情報機器と受け側の移動端末との相互関係で構成する事により前項の課題を解決する。  また、広告情報を広告主の都合で自由に作成・更新できる方法を提供するものである。
【課題を解決するための手段】
【０００９】
従来の問題を解決するため、請求項１記載の発明では、広告主が持つ移動端末と通行人が持つ移動端末間でピアツーピア通信を行い広告情報を転送するシステムであって、
【００１０】
電波到達範囲にある移動端末を検索する機能、
【００１１】
電波到達範囲に入った通行人が持つ移動端末は広告情報を自動で受け取り、電波到達範囲から抜けたときには広告情報は自動で消える機能、
【００１２】
広告主が手元の移動端末で広告情報を作成および変更する機能、
【００１３】
前記機能を有することを特徴とするピアツーピアネットワークを使った電子広告システム、を提供する。
【発明の効果】
【００１４】
以上、詳細に説明したように、本発明によれば、移動端末のピアツーピア通信を利用することで特別なインフラ（無線ＬＡＮ基地局や広告データサーバや店舗ＩＤや広告表示用ディスプレイ）を用意することなく、自店舗の近くにいる人にだけに自店舗の広告情報を伝えることができる。  特別なインフラが不要なため、それらの設定や運用にかかる手間がいらなくなる。  広告主が広告情報を変更する場合でもインターネットに接続する必要はなく、手元にある移動端末に保存されている広告情報を変更すればよい。  通行人にとってはサーバへの接続という手順をふまなくてもピアツーピア通信への準備をしておくだけで自動的に目の前の店舗に係る広告情報だけ入手することができ、その店舗の前を離れれば広告情報は自動的に消えるので移動端末の資源を圧迫することがない。
【図面の簡単な説明】
【００１５】
【図１】本発明の実施形態に係るシステムの図である。
【発明を実施するための形態】
【００１６】
以下、本発明の実施の形態を図面を参照して説明するが、本発明は下記例に限定されるものではない。  図１は本発明に係る狭域電子広告システムの一例を示す概略図である。  商店街にある店舗は広告情報を移動端末に用意しておく。  ピアツーピアネットワークに接続された移動端末が検知されると店舗の広告情報をその移動端末に送信する。  通行人が持つ移動端末では広告情報を受信すると自動で画面に表示する。通行人がさらに移動して電波到達範囲からはずれた場合は広告情報は画面から消える。
【００１７】
図１における本実施形態に係る狭域電子広告システムは、店舗１０にある移動端末１１はピアツーピア通信ができる移動端末であり店舗１０の広告情報を持つ。  店舗２０にある移動端末２１も店舗２０の広告情報を持つ。  通行人が持つ移動端末３０はピアツーピア通信ができる移動端末である。
【００１８】
図１における本実施形態に係る狭域電子広告システムは、店舗１０にある移動端末１１においてピアツーピア通信できる移動端末が現れるのを待つ。  通行人が持つ移動端末３０が電波到達範囲に入るとピアツーピア通信の接続を行い店舗１０の広告情報を移動端末３０に送信する。  移動端末３０は広告情報を受信するとそれを画面に自動的に表示する。  通行人が店舗１０の前を通り過ぎ電波到達範囲からはずれると店舗１０の広告情報は移動端末３０の画面から消える。  さらに通行人が店舗２０の前に来ると同様に店舗２０の広告情報が移動端末２１から送信され、通行人の移動端末３０に店舗２０の広告情報が表示される。
【００１９】
商店街を通行人が移動端末を持って歩いて、店舗の前にさしかかるとその店舗の広告情報が移動端末に表示される。  そのまま歩き続けると広告情報は消える。  新たな店舗の前に来ると、その店舗の広告情報が自動的に通行人の移動端末に表示される。
【００２０】
店舗および通行人が持つ移動端末はワイヤレスでピアツーピア通信ができればスマートフォンであっても携帯電話であってもパソコンであってもよい。  ワイヤレス通信は無線ＬＡＮであってもＢｌｕｅｔｏｏｔｈであってもＺｉｇＢｅｅであってもよい。
【００２１】
移動端末が電波到達範囲にあることを検知するには、各移動端末から発信される端末情報を自端末が受信できることで判断する。
【符号の説明】
【００２２】
１０  店舗１
１１  店舗１が持っている移動端末１
２０  店舗２
２１  店舗２が持っている移動端末２
３０  通行人がもっている移動端末３
【図１】
2012220934.tif 000003